(57)【要約】【課題】クロック信号が伝送される信号線とは別の信号線を通じ、そのクロック信号に同期してデジタル信号が送信される場合に、各信号の遷移に伴う電磁放射ノイズが干渉によって大きくなると、電磁放射ノイズを抑えるのがより困難になる。【解決手段】本発明では、入力されたデータ信号の符号化によって、クロック信号が遷移するとき逆方向に遷移するか遷移しないデジタル信号が生成されるため、干渉によって電磁放射ノイズが大きくなるのを避けることができ、各信号の遷移に伴う電磁放射ノイズが打ち消し合って電磁放射ノイズが軽減されることもある。【選択図】　図１
2004032635.tif 000002
【特許請求の範囲】
【請求項１】
同期信号が伝送される信号線とは別の信号線を通じ、前記同期信号に同期してデジタル信号を送信する信号送信装置であって、
同期信号が遷移するとき逆方向に遷移するか遷移しないデジタル信号を、入力信号を符号化して生成する符号化手段
を備える信号送信装置。
【請求項２】
同期信号が伝送される信号線とは別の信号線を通じ、前記同期信号に同期してデジタル信号を送信する信号送信装置であって、
所定長の符号列のうち前記同期信号に対応する符号列を含まない非対応符号列であり、前記非対応符号列が前記非対応符号列と結合された符号列も前記同期信号に対応する符号列を含まない符号列のいずれかを符号又は前記所定長より短い符号列に一意に割り当てる符号化を、入力信号より取り出された符号又は符号列に対して行い、前記デジタル信号を構成する符号列を生成する符号化手段
を備える信号送信装置。
【請求項３】
前記同期信号の立ち上がりエッジ及び立ち下がりエッジに同期してデジタル信号を送信する請求項１記載の信号送信装置。
【請求項４】
前記符号化手段により生成された符号列が構成する前記デジタル信号を前記別の信号線に出力するためのドライバ回路を備える請求項１記載の信号送信装置。
【請求項５】
複数の前記別の信号線に対して符号化手段をそれぞれ備え、
隣接する２本の信号線の一方を通じて送信される前記デジタル信号を構成する符号列を生成する符号化手段は、
所定長の符号列のうち前記非対応符号列であり、他の前記非対応符号列と結合された符号列も前記同期信号に対応する符号列を含まない符号列のいずれかを符号又は前記所定長より短い符号に一意に割り当てる符号化を行う代わりに、
前記所定長の符号列のうち前記同期信号の反転信号に対応する符号列を含まない非反転対応符号列であり、前記非反転対応符号列が前記非反転対応符号列と結合された符号列も前記反転信号に対応する符号列を含まない符号列のいずれかを符号又は前記所定長より短い符号列に一意に割り当てる符号化を行う請求項１記載の信号送信装置。
【請求項６】
同期信号が伝送される信号線とは別の信号線を通じ、信号送信装置から信号受信装置へ、前記同期信号に同期してデジタル信号を伝送する信号伝送システムであって、
前記信号送信装置は、所定長の符号列のうち前記同期信号に対応する符号列を含まない非対応符号列であり、前記非対応符号列が前記非対応符号列と結合された符号列も前記同期信号に対応する符号列を含まない符号列のいずれかを符号又は前記所定長より短い符号列に一意に割り当てる符号化を、入力信号より取り出された符号又は符号列に対して行い、前記デジタル信号を構成する符号列を生成する符号化手段
を備え、
前記信号受信装置は、前記デジタル信号に対して前記符号化に対応する復号化を行い、前記入力信号を復元する復号化手段を備える信号伝送システム。
【請求項７】
前記信号受信装置は、前記別の信号線を通じて受信した信号と前記同期信号との電位差に基づいて前記別の信号線から前記デジタル信号を取り出し、取り出した前記デジタル信号を前記復号化手段に出力する差動受信手段を備える請求項６記載の信号伝送システム。
【請求項８】
平衡伝送方式で前記同期信号を前記信号送信装置から前記信号受信装置へ伝送する請求項７記載の信号伝送システム。
【発明の詳細な説明】
【０００１】
【発明の属する技術分野】
本発明は、同期信号が伝送される信号線とは別の信号線を通じ、その同期信号に同期してデジタル信号を伝送するための信号送信装置及び信号伝送システムに関する。
【０００２】
【従来の技術】
近年、ＭＰＵ（Ｍｉｃｒｏ　Ｐｒｏｃｅｓｓｏｒ　Ｕｎｉｔ）やメモリなどの動作周波数の向上に伴い、入出力インターフェースを高速化する要求が高まっている。信号が遷移することによって発生する電磁放射ノイズは、その信号の周波数の２乗に比例して大きくなるから、高速な入出力インターフェースを利用する場合、電磁放射ノイズについての対策は極めて重要になる。
【０００３】
信号の伝送を平衡伝送方式で行えば、このような電磁放射ノイズを抑えることができる。平衡伝送方式では、対線の一方を通じて伝送される信号の逆相の信号が対線の他方を通じて伝送される。このため、一方の信号の遷移に伴って発生する電磁放射ノイズは、他方の信号の遷移に伴って発生する電磁放射ノイズによって打ち消される。
【０００４】
【発明が解決しようとする課題】
しかしながら、平衡伝送方式では、一つの信号に二つの信号線が必要になるから、複数の信号がパラレル伝送される場合には、その信号の数やコストなどの関係で、不平衡伝送方式が採用されることも多い。
【０００５】
不平衡伝送方式でクロック信号や、データ信号のようなその他の信号が複数の信号線を通じて伝送される場合、各信号の遷移に伴う電磁放射ノイズを低減するだけでは不十分なことがある。
【０００６】
例えばデータ信号が「１０１１０１１１１０」という符号列で与えられ、図２に示すように、そのデータ信号ＤＡＴＡがクロック信号ＣＬＫの両エッジに同期して伝送されたとすると、クロック信号ＣＬＫとデータ信号ＤＡＴＡとでエッジの方向が揃うときがある。このとき、データ信号ＤＡＴＡの遷移に伴う電磁放射ノイズはクロック信号ＣＬＫの遷移に伴う電磁放射ノイズと同相となり、電磁放射ノイズは大きくなってしまう。
【０００７】
従って、このような場合には、電磁放射ノイズを十分に抑えることがより困難になる。
【０００８】
そこで、本発明は、同期信号が伝送される信号線とは別の信号線を通じ、その同期信号に同期してデジタル信号が伝送される場合に、各信号の伝送が不平衡伝送方式で行われたとしても、外部への電磁放射ノイズを比較的容易に低減することのできる信号送信装置及び信号伝送システムを提供することを目的とする。
【０００９】
【課題を解決するための手段】
上述の目的を達成するため本発明は、以下の手段を採用している。
【００１０】
本発明は、同期信号が伝送される信号線とは別の信号線を通じ、同期信号に同期してデジタル信号を送信する信号送信装置を提供する。
【００１１】
この信号送信装置において、符号化手段は、同期信号が遷移するとき逆方向に遷移するか遷移しないデジタル信号を、入力信号を符号化して生成する。
【００１２】
符号化手段は、所定長の符号列のうち予め定められた符号列のいずれかを、入力信号より取り出された符号又は符号列に一意に割り当てて、デジタル信号を構成する符号列を生成することができる。予め定められた符号列は、所定長の符号列のうち同期信号に対応する符号列を含まない非対応符号列であって、一つの非対応符号列がそれ自体又は他の非対応符号列と結合された符号列も同期信号に対応する符号列を含まない符号である。符号化手段によって生成された符号列が構成するデジタル信号は、ドライバ回路を介して信号線に出力され、例えば同期信号の立ち上がりエッジ及び立ち下がりエッジに同期して信号送信装置から送信される。
【００１３】
このような符号化によって、同期信号とデジタル信号のエッジ方向は揃わなくなる。同期信号が遷移したとき、デジタル信号が遷移しないか逆方向に遷移する。同期信号が遷移したとき、デジタル信号が遷移しなければ、干渉によって電磁放射ノイズが大きくなるのを避けることができる。また、同期信号とデジタル信号のエッジ方向が逆になれば、干渉によって電磁放射ノイズが打ち消されるため、電磁放射ノイズが抑制される。
【００１４】
この信号送信装置において、同期信号に同期してデジタル信号が送信される信号線が複数ある場合には、符号化手段は、各信号線に対してそれぞれ備えられる。この場合に、隣接する２本の信号線の一方を通じて送信されるデジタル信号を構成する符号列を生成する符号化手段は、上述の符号化を行う代わりに、他の予め定められた符号列を割り当てる符号化を行う。他の予め定められた符号列は、所定長の符号列のうち同期信号の反転信号に対応する符号列を含まない非反転対応符号列であって、一つの非反転対応符号列がそれ自体又は非反転対応符号列と結合された符号列も反転信号に対応する符号列を含まない符号列である。これに対し、隣接する２本の信号線の他方を通じて送信されるデジタル信号を構成する符号列を生成する符号化手段は、上述の符号化を行う。
【００１５】
これによって、隣接する２本の信号線のうち、一方の信号線を通じて伝送される信号が遷移するとき、他方の信号線を通じて伝送される信号は遷移しないか、一方の信号線を通じて伝送される信号とは逆方向に遷移する。一方の信号線を通じて伝送される信号が遷移したときに他方の信号線を通じて伝送される信号が遷移しなければ、電磁放射ノイズが大きくなるのを避けることができる。また、一方の信号線を通じて伝送される信号とは逆方向に、他方の信号線を通じて伝送される信号が遷移すれば、両信号の遷移に伴う電磁放射ノイズは打ち消し合い、電磁放射ノイズは抑えられる。この結果、信号伝送システム全体としての電磁放射ノイズは抑えられる。
【００１６】
また、他の観点では、本発明は、同期信号が伝送される信号線とは別の信号線を通じ、上述の信号送信装置から信号受信装置へ、同期信号に同期してデジタル信号を伝送する信号伝送システムを提供する。
【００１７】
この場合、信号受信装置は、信号送信装置の符号化手段に対応する復号化手段を備える。復号化手段は、デジタル信号に対して上述の符号化に対応する復号化を行い、入力信号を復元する。
【００１８】
この信号受信装置は、差動受信手段を備えてもよい。差動受信手段は、別の信号線を通じて受信した信号と同期信号との電位差に基づいて別の信号線からデジタル信号を取り出し、取り出したデジタル信号を復号化手段に出力する。これによって、一定の閾値に基づいてデジタル信号が取り出される場合よりも、雑音余裕度が大きくなり、雑音耐性が増す。従って、小振幅の信号によって、動作周波数を高速化し易くなり、電磁放射ノイズも抑えられる。
【００１９】
この場合、同期信号は、平衡伝送方式で信号送信装置から信号受信装置へ伝送されるようにしてもよい。これによって、閾値として用いられる同期信号の波形品質が向上し、閾値の安定性が増す。
【００２０】
【発明の実施の形態】
以下、添付図面を参照して、本発明の実施の形態につき説明する。
（実施の形態１）
図１に示すように、この実施の形態における信号伝送システムは、信号送信装置１００と信号受信装置２００とを備える。
【００２１】
信号送信装置１００には、クロック信号ＣＬＫ及びデータ信号ＤＡＴＡが入力される。ドライバ回路１０１は、入力されたクロック信号ＣＬＫを信号線３００に出力する。これによって、信号線３００を通じ、信号送信装置１００から信号受信装置２００へクロック信号ＣＬＫが伝送される。
【００２２】
信号送信装置１００に入力されたデータ信号ＤＡＴＡは、符号化回路１Ａに供給される。符号化回路１Ａは、予め定められた所定長の符号列のいずれかを符号又は所定長より短い符号列に一意に割り当てる符号化を、供給されたデータ信号ＤＡＴＡの符号又は符号列に対して行い、クロック信号ＣＬＫの立ち上がりエッジ及び立ち下がりエッジに同期して、割り当てた符号列の符号を出力する。ドライバ回路２Ａは、符号化回路１Ａからの符号を信号線３０１に出力する。これによって、割り当てられた符号列から構成されるデジタル信号ＥＮは、信号線３００とは別の信号線３０１を通じ、クロック信号ＣＬＫの立ち上がりエッジ及び立ち下がりエッジに同期して信号送信装置１００から信号受信装置２００へ伝送される。
【００２３】
信号線３００と信号線３０１は近接して配置されており、信号線３０１を通じて伝送されるデジタル信号ＥＮの遷移に伴って発生する電磁放射ノイズは、信号線３００を通じて伝送されるクロック信号ＣＬＫの遷移に伴って発生する電磁放射ノイズに干渉する。
【００２４】
デジタル信号ＥＮの遷移は、符号化回路１Ａによって定められる。符号化回路１Ａが割り当てる予め設定された所定長の符号列は、所定長の符号列のうちクロック信号ＣＬＫに対応する符号列を含まない非対応符号列であって、その非対応符号列がそれ自体又は他の非対応符号列と結合された符号列もクロック信号ＣＬＫに対応する符号列を含まない符号列である。
【００２５】
図２に示すように、クロック信号ＣＬＫがローレベル（０）から立ち上がりエッジを経てハイレベル（１）、ハイレベルから立ち下がりエッジを経てローレベルと遷移する場合、クロック信号ＣＬＫに対応する符号列は、１０、１０１、１０１０、１０１０１、…である。
【００２６】
非対応符号列は、このようなクロック信号に対応する符号列を含まない。例えば２ビットの符号列、００、０１、１０、１１のうち、非対応符号列は、００、０１、１１である。
【００２７】
この実施の形態では、符号化回路１Ａは、データ信号ＤＡＴＡから取り出された符号に、２ビットの符号列を一意に割り当てる符号化を行う。符号化回路１Ａは、図３に示すように、レジスタ１０２を備えており、クロック信号ＣＬＫの立ち上がりエッジの度に、データ信号ＤＡＴＡから符号がレジスタ１０２に取り出される。データ信号ＤＡＴＡを構成する各符号は、レジスタ１０２に順次保持される。
【００２８】
１ビット／２ビット変換器１０３は、図４に示す符号表に従い、レジスタ１０２に保持された符号に２ビットの符号列を割り当てる。保持された符号が０であれば、０１が割り当てられ、保持された符号が１であれば、１１が割り当てられる。なお、０１に０１又は１１、１１に０１又は１１を結合した符号列はいずれも、クロック信号ＣＬＫに対応する符号列を含まない。
【００２９】
割り当てられた符号列は、２ビットのシフトレジスタ１０４に出力される。そして、クロック信号ＣＬＫの立ち上がりエッジ及び立ち下がりエッジに合わせて、そのときの最上位ビットがシフトレジスタ１０４からドライバ回路２Ａに供給される。そのときの下位ビットは上位側にシフトするから、符号化回路１Ａにより割り当てられた符号列が順次ドライバ回路２Ａに供給される。
【００３０】
図２に示すように、例えばデータ信号ＤＡＴＡが「１０１１０１１１１０」という符号列で与えられたとすると、この符号列の各符号に、「１１」、「０１」、「１１」、「１１」、「０１」、「１１」、「１１」、「１１」、「１１」、「０１」という符号列がそれぞれ割り当てられ、ドライバ回路２Ａには、「１１０１１１１１０１１１１１１１１１０１」という２０ビットの符号列の各符号が順次供給される。
【００３１】
この場合、信号線３００を通じて伝送されるクロック信号ＣＬＫと、信号線３０１を通じて伝送されるデジタル信号ＥＮは、図５に示すように遷移する。
【００３２】
データ信号ＤＡＴＡが符号化されずにそのまま信号線３０１を通じて伝送された場合には、既述の通り、クロック信号ＣＬＫとデータ信号ＤＡＴＡとでエッジの方向が揃うときがある。このとき、両信号の遷移に伴う電磁放射ノイズの位相は同位相となり、電磁放射ノイズは大きくなってしまう。
【００３３】
一方、データ信号ＤＡＴＡに対して上述の符号化が行われている場合、図５に示すように、クロック信号ＣＬＫとデジタル信号ＥＮとでエッジの方向が揃うときがない。クロック信号ＣＬＫが遷移したとき、デジタル信号ＥＮは遷移しないか、クロック信号ＣＬＫとは逆方向に遷移する。クロック信号ＣＬＫが遷移したときにデジタル信号ＥＮが遷移しなければ、電磁放射ノイズが大きくなるのを避けることができる。また、デジタル信号ＥＮがクロック信号ＣＬＫとは逆方向に遷移すれば、両信号の遷移に伴う電磁放射ノイズは打ち消し合い、電磁放射ノイズは抑えられる。
【００３４】
信号受信装置２００は、このようにして伝送されたクロック信号ＣＬＫとデジタル信号ＥＮを受信する。信号受信装置２００は、図１に示すように、一方の入力が信号線３０１に接続された差動レシーバ３Ａを備える。差動レシーバ３Ａの他方の入力には、信号線３００を通じて受信された信号からレシーバ２０１により取り出されたクロック信号ＣＬＫが与えられる。差動レシーバ３Ａは、そのクロック信号ＣＬＫと信号線３０１を通じて受信された信号ＲＳとの電位差に基づいて信号ＲＳからデジタル信号ＥＮを取り出す。他方の入力のレベルが閾値とされ、一方の入力のレベルが閾値よりも大きければ、差動レシーバ３Ａからハイレベルが出力され、一方の入力のレベルが閾値以下であれば、ローレベルが出力される。このようにクロック信号ＣＬＫを閾値とすれば、図６（Ａ）に示すように、一方の入力の信号ＲＳに対する閾値ＴＨを一定とする場合よりも、図６（Ｂ）に示すように、クロック信号ＣＬＫを閾値ＴＨとする場合の方が、オーバーシュートやアンダーシュートなどの雑音に対する雑音余裕度ＮＭは大きくなり、雑音耐性が増す。従って、小振幅の信号によって、動作周波数を高速化し易くなり、電磁放射ノイズも抑えられる。
【００３５】
差動レシーバ３Ａにより取り出されたデジタル信号ＥＮは復号化回路４Ａに供給される。復号化回路４Ａは、符号化回路１Ａにより行われた符号化に対応する復号化を行い、デジタル信号ＥＮからデータ信号ＤＡＴＡを復元する。
【００３６】
この実施の形態では、復号化回路４Ａは、図７に示すように、２ビットのシフトレジスタ２０２を備えており、クロック信号ＣＬＫの立ち上がりエッジ及び立ち下がりエッジに合わせて、供給されたデジタル信号から符号がシフトレジスタ２０２に取り出される。そのとき、シフトレジスタ２０２に既に保持されている符号は、上位側にシフトする。２ビット／１ビット変換器２０３は、符号化回路１Ａの１ビット／２ビット変換器１０３が行うビット変換とは逆の変換を行う。すなわち、２ビット／１ビット変換器２０３は、図８に示す符号表に従い、シフトレジスタ２０１に保持された２ビットの符号列に符号を割り当てる。シフトレジスタ２０１に保持された２ビットの符号列が０１であれば、０が割り当てられ、１１であれば、１が割り当てられる。
【００３７】
割り当てられた符号は、レジスタ２０４に出力される。このレジスタ２０４から、クロック信号ＣＬＫの立ち上がりエッジの度に、データ信号ＤＡＴＡを構成する符号が順次出力される。
【００３８】
このように、本実施の形態における信号伝送システムでは、外部からのノイズの影響及び外部へのノイズを抑えながら、信号を伝送することができる。
【００３９】
なお、上述の符号化では、データ信号ＤＡＴＡから取り出された符号に２ビットの符号列が割り当てられたが、これに限られるものではない。符号化回路１Ａは、例えばデータ信号ＤＡＴＡから５ビットの符号列を取り出し、取り出した符号列に８ビットの符号列を一意に割り当てるようにしてもよい。この場合、符号化回路１Ａは、図９に示すように、５ビットのシフトレジスタ１０２１を備えており、クロック信号ＣＬＫの立ち上がりエッジ又は立ち下がりエッジに合わせて、データ信号ＤＡＴＡから符号がシフトレジスタ１０２１に取り出される。そのとき、シフトレジスタ１０２１に既に保持されている符号は、上位側にシフトする。５ビット／８ビット変換器１０３１は、図１０に示す符号表に従い、シフトレジスタ１０２１に保持された５ビットの符号列に８ビットの符号列を割り当てる。８ビットの符号列のうち、例えば「００１０１１００」や「０１０１１０１０」という符号列は、クロック信号ＣＬＫに対応する符号列を含むため、割り当てられる符号列として用いられない。
【００４０】
割り当てられた符号列は、８ビットのシフトレジスタ１０４１に出力される。そして、クロック信号ＣＬＫの立ち上がりエッジ及び立ち下がりエッジに合わせて、そのときの最上位ビットがシフトレジスタ１０４１からドライバ回路２Ａに供給される。
【００４１】
データ信号ＤＡＴＡが上述したのと同じく「１０１１０１１１１０」という符号列で与えられたとすると、前半の「１０１１０」という符号列に「１１０１０００１」という符号列が割り当てられ、後半の「１１１１０」という符号列に「１１１１１１０１」という符号列が割り当てられる。このとき、ドライバ回路２Ａには、「１１０１０００１０１１１１１１０１」という１６ビットの符号列の各符号が順次供給される。クロック信号ＣＬＫとデジタル信号ＥＮは、図１１に示すように遷移する。
【００４２】
上述の例と同様に、５ビットの符号列に８ビットの符号列が割り当てられる場合にも、図１１に示すように、クロック信号ＣＬＫとデジタル信号ＥＮとでエッジの方向が揃うときがない。このため、クロック信号ＣＬＫとデジタル信号ＥＮの伝送が不平衡伝送方式で行われたとしても、外部への電磁放射ノイズを比較的容易に低減することができる。
【００４３】
また、１ビットの符号列に２ビットの符号列が割り当てられる場合、伝送レートは、１／２になるが、５ビットの符号列に８ビットの符号列が割り当てられる場合、伝送レートは、５／８となる。このように、割り当てられる符号列のビット長を増やすことによって、伝送レートの低下を抑制することが可能となる。
【００４４】
また、この実施の形態では、周期的なクロック信号が同期信号であったが、これに限られるものではなく、同期信号は周期性のない信号であってもよい。さらに、クロック信号の反転信号に同期してデジタル信号を遷移させるようにしてもよい。
【００４５】
また、同期信号は内部クロック信号と独立していてもよく、別の専用信号を用いるようにしてもよい。
【００４６】
また、符号化回路とドライバ回路との間にタイミング調整回路を挿入しえ、送信タイミングを調整できるようにしてもよい。
【００４７】
また、この実施の形態では、差動レシーバ３Ａには、クロック信号ＣＬＫが直接入力されているが、遅延回路又は振幅調整回路を介してクロック信号ＣＬＫを差動レシーバ３Ａに入力するようにしてもよい。これによって、閾値のタイミングや信号レベルを調整することができる。遅延回路として、例えばコンデンサやインダクタ、抵抗などが直列に接続される。また、振幅調整回路として、例えば抵抗が並列に接続される。
【００４８】
また、送信信号の遷移特性によっては、閾値として、クロック信号ＣＬＫの代わりに、クロック信号ＣＬＫの反転信号やクロック信号ＣＬＫと等価な別の信号を用いるようにしてもよい。さらに、閾値として用いられる同期信号は、周期性のあるクロック信号に限られるものではなく、周期性のないものであってもよい。
（実施の形態２）
実施の形態１では、クロック信号に同期してデジタル信号が送信される信号線は、信号線３０１の一本だけであったが、複数本あってもよい。
【００４９】
この実施の形態２における信号伝送システムでは、図１２に示すように、信号送信装置１００は、４本の信号線３０１乃至３０４に対して符号化回路１Ａ、１Ｂ、１Ｃ及び１Ｄをそれぞれ備える。
【００５０】
信号送信装置１００には、クロック信号ＣＬＫ並びにデータ信号ＤＡＴＡ１、ＤＡＴＡ２、ＤＡＴＡ３及びＤＡＴＡ４が入力される。信号送信装置１００に入力されたデータ信号ＤＡＴＡ１、ＤＡＴＡ２、ＤＡＴＡ３及びＤＡＴＡ４は、符号化回路１Ａ、１Ｂ、１Ｃ及び１Ｄにそれぞれ供給される。各符号化回路は、予め定められた所定長の符号列のいずれかを符号又は所定長より短い符号列に一意に割り当てる符号化を、供給されたデータ信号の符号又は符号列に対して行う。各符号化回路により割り当てられた符号列は、ドライバ回路２Ａ、２Ｂ、２Ｃ又は２Ｄに供給される。各ドライバ回路は、各符号化回路からの符号列が構成するデジタル信号を信号線３０１、３０２、３０３又は３０４に出力する。各デジタル信号は、信号線３０１、３０２、３０３又は３０４を通じ、信号送信装置１００から信号受信装置２００へ送信される。
【００５１】
信号線３００乃至信号線３０４は、例えばパラレルバスを構成しており、信号線３００及び信号線３０１と同様に、信号線３０１乃至３０４は近接して配置される。各信号線を通じて伝送されるデジタル信号の遷移に伴って発生する電磁放射ノイズは、他の信号線を通じて伝送されるデジタル信号の遷移に伴って発生する電磁放射ノイズに干渉する。
【００５２】
このため、信号送信装置１００では、隣接する２本の信号線の一方に対する符号化回路は、実施の形態１と同様の符号化を行う代わりに、所定長の符号列のうちクロック信号ＣＬＫの反転信号に対応する符号列を含まない非反転対応符号列であって、その非反転対応符号列がそれ自体又は他の非反転対応符号列と結合された符号列もその反転信号に対応する符号列を含まない符号列のいずれかを割り当てる符号化を行う。
【００５３】
クロック信号ＣＬＫに対応する符号列が１０、１０１、１０１０、１０１０１、…である場合、そのクロック信号ＣＬＫの反転信号に対応する符号列は、０１、０１０、０１０１、０１０１０、…である。
【００５４】
非反転対応符号列は、このような反転信号に対応する符号列を含まない。例えば２ビットの符号列のうち、非反転対応符号列は、００、１０、１１である。
【００５５】
この実施の形態では、符号化回路１Ａ及び１Ｃは、実施の形態１と同様に符号化を行い、符号化回路１Ｂ及び１Ｄは、代わりの符号化を行う。符号化回路１Ｂ及び１Ｄには、インバータ１０５からクロック信号ＣＬＫの反転信号が供給されており、符号化回路１Ｂ及び１Ｄは、この反転信号に同期して動作する。
【００５６】
符号化回路１Ｂ及び１Ｄの構成は、割り当てる符号列が異なるだけで、符号化回路１Ａと同様である。データ信号ＤＡＴＡ２又はＤＡＴＡ４から取り出された符号に２ビットの符号列が割り当てられる場合、各符号化回路は、レジスタ１０２、１ビット／２ビット変換器１０３及び２ビットのシフトレジスタ１０４を備える。符号化回路１Ｂ及び１Ｄの１ビット／２ビット変換器１０３は、レジスタ１０２に保持された符号が０であれば、その符号に１０を割り当て、保持された符号が１であれば、その符号に１１を割り当てる。割り当てられた符号列の符号は、シフトレジスタ１０４からドライバ回路２Ｂ又は２Ｄに順次供給される。
【００５７】
４つのデータ信号ＤＡＴＡ１、ＤＡＴＡ２、ＤＡＴＡ３及びＤＡＴＡ４が全て「１０１１０１１１１０」という符号列で与えられたとすると、ドライバ回路２Ａ又は２Ｃには、実施の形態１と同様に、「１１０１１１１１０１１１１１１１１１０１」という符号列の各符号が順次供給される。また、ドライバ回路２Ｂ又は２Ｄには、「１１１０１１１１１０１１１１１１１１１０」という符号列の各符号が順次供給される。
【００５８】
この場合、信号線３００を通じて伝送されるクロック信号ＣＬＫと、信号線３０１乃至３０４を通じて伝送されるデジタル信号ＥＮ１、ＥＮ２、ＥＮ３及びＥＮ４は、図１３に示すように遷移する。
【００５９】
図１３に示すように、クロック信号ＣＬＫ並びにデジタル信号ＥＮ１、ＥＮ２、ＥＮ３及びＥＮ４のうち隣接する２本の信号線を通じて伝送される信号でエッジの方向が揃うときがない。一方の信号線を通じて伝送される信号が遷移するとき、他方の信号線を通じて伝送される信号は遷移しないか、一方の信号線を通じて伝送される信号とは逆方向に遷移する。一方の信号線を通じて伝送される信号が遷移したときに他方の信号線を通じて伝送される信号が遷移しなければ、電磁放射ノイズが大きくなるのを避けることができる。また、一方の信号線を通じて伝送される信号とは逆方向に、他方の信号線を通じて伝送される信号が遷移すれば、両信号の遷移に伴う電磁放射ノイズは打ち消し合い、電磁放射ノイズは抑えられる。この結果、信号伝送システム全体としての電磁放射ノイズが抑えられる。
【００６０】
信号受信装置２００は、このようにして伝送されたクロック信号ＣＬＫ並びにデジタル信号ＥＮ１、ＥＮ２、ＥＮ３及びＥＮ４をそれぞれレシーバ２０１並びに差動レシーバ３Ａ、３Ｂ、３Ｃ及び３Ｄにより受信する。
【００６１】
各差動レシーバの一方の入力には、信号線３０１、３０２、３０３又は３０４が接続されている。各差動レシーバは、各信号線を通じて受信された信号の電位と他方の入力に与えられた電位の差に基づいて、デジタル信号ＥＮ１、ＥＮ２、ＥＮ３又はＥＮ４を取り出す。
【００６２】
差動レシーバ３Ａ又は３Ｃの他方の入力には、信号線３００を通じて受信された信号からレシーバ２０１により取り出されたクロック信号ＣＬＫが与えられる。また、差動レシーバ３Ｂ又は３Ｄの他方の入力には、インバータ２０５から出力されるクロック信号ＣＬＫの反転信号が与えられる。
【００６３】
クロック信号ＣＬＫ又はその反転信号が閾値とされることにより、実施の形態１と同様に、オーバーシュートやアンダーシュートなどの雑音に対する雑音余裕度は大きくなり、雑音耐性が増す。従って、小振幅の信号によって、動作周波数を高速化し易くなり、電磁放射ノイズも抑えられる。
【００６４】
信号受信装置２００は、４本の信号線３０１乃至３０４に対して復号化回路４Ａ、４Ｂ、４Ｃ及び４Ｄをそれぞれ備えており、各デジタル信号は、復号化回路４Ａ、４Ｂ、４Ｃ又は４Ｄに供給される。
【００６５】
この実施の形態でも、各復号化回路は、符号化回路の符号化に対応する復号化を行う。復号化回路４Ａの構成は実施の形態１で説明した通りであり、復号化回路４Ｃの構成は復号化回路４Ａと同様である。また、復号化回路４Ｂ及び４Ｄの構成は、符号を割り当てる符号列が異なるだけで、復号化回路４Ａと同様である。供給されたデジタル信号Ｎ１、ＥＮ２、ＥＮ３又はＥＮ４から取り出された２ビットの符号列に符号が割り当てられる場合、各復号化回路は、２ビットのシフトレジスタ２０２、２ビット／１ビット変換器２０３及びレジスタ２０４を備える。復号化回路２Ｂ及び２Ｄの２ビット／１ビット変換器２０３は、シフトレジスタ２０２に保持された２ビットの符号列が１０であれば、その符号列に０を割り当て、１１であれば、その符号列に１を割り当てる。このようにして割り当てられた符号がレジスタ２０４から順次出力されることによって、データ信号ＤＡＴＡ１、ＤＡＴＡ２、ＤＡＴＡ３又はＤＡＴＡ４が出力される。
【００６６】
なお、この実施の形態では、クロック信号ＣＬＫが伝送されたが、その代わりにクロック信号ＣＬＫの反転信号を伝送するようにしてもよい。
【００６７】
また、差動レシーバと復号化回路との間にタイミング調整回路を挿入し、受信タイミングを調整できるようにしてもよい。
【００６８】
また、信号受信回路２００の内部のインバータ２０５によってクロック信号ＣＬＫの反転信号を生成したが、クロック信号の反転信号を外部で生成するようにしてもよい。
【００６９】
また、クロック信号ＣＬＫは不平衡伝送方式で信号送信装置１００から信号受信装置２００へ伝送されたが、クロック信号ＣＬＫのみ平衡伝送方式で伝送されるようにしてもよい。
【００７０】
この場合、図１４に示すように、信号送信装置１００は、トランスミッタ１０６を備える。トランスミッタ１０６は、入力されたクロック信号ＣＬＫの正信号を信号線３００Ｐに、クロック信号ＣＬＫの負信号を信号線３００Ｑにそれぞれ出力する。これに対し、信号受信装置２００は、差動レシーバ２０６を備える。差動レシーバ２０６の一方の入力に信号線３００Ｐが接続され、他方の入力に信号線３００Ｑが接続される。差動レシーバ２０６は、両入力の差に基づいてクロック信号ＣＬＫを取り出す。
【００７１】
このように、クロック信号ＣＬＫが平衡伝送方式で伝送される場合でも、符号化回路１Ａ、１Ｂ、１Ｃ及び１Ｄが、実施の形態２と同様に符号化を行うことによって、信号伝送システム全体としての電磁放射ノイズが抑えられる。
【００７２】
しかも、閾値として用いられるクロック信号の波形品質が向上し、終端抵抗Ｒの値によって簡単に振幅調整ができる。その結果、閾値の安定性が向上し、雑音余裕度の調整も可能になる。
【００７３】
また、実施の形態１及び２では、差動レシーバが、信号線を通じて受信された信号からデジタル信号を取り出したが、これに限られるものではない。例えば図１５に示すように、信号受信装置２００が、差動レシーバ４Ａ、４Ｂ、４Ｃ及び４Ｄの代わりに、レシーバ５Ａ、５Ｂ、５Ｃ及び５Ｄを備えるようにしてもよい。各レシーバは、信号線３０１、３０２、３０３又は３０４を通じて受信された信号とグランドとの電位差に基づいてデジタル信号を取り出す。このようにデジタル信号を不平衡方式で伝送する場合、差動レシーバを用いる場合と較べて雑音余裕度は小さくなるが、外部への放射ノイズは同様に抑えられる。
【００７４】
さらに、実施の形態１及び２では、信号送信装置１００から信号受信装置２００への単方向伝送が行われていたが、本発明を、双方向伝送を行う信号送信装置又は信号伝送システムに適用することも可能である。
【００７５】
この場合、信号伝送システムは、例えば図１６に示すように、信号送受信装置１０７と信号送受信装置２０７とを備える。信号送受信装置１０７と信号送受信装置２０７との構成は同じであり、信号送受信装置１０７又は２０７は、トランシーバ１０８、６Ａ、６Ｂ、６Ｃ及び６Ｄを備える。各トランシーバにより、一方の信号送受信装置から他方へ信号線３００、３０１、３０２、３０３又は３０４を通じて信号が送信され、他方からの信号が受信される。
【００７６】
トランシーバ６Ａ、６Ｂ、６Ｃ又は６Ｄには、符号／復号化回路７Ａ、７Ｂ、７Ｃ又は７Ｄが接続されている。各符号／復号化回路は、入力されたデータ信号ＤＡＴＡ１、ＤＡＴＡ２、ＤＡＴＡ３又はＤＡＴＡ４に対して上述の通り符号化を行い、デジタル信号をトランシーバ６Ａ、６Ｂ、６Ｃ又は６Ｄに供給する。また、各符号／復号化回路は、トランシーバ６Ａ、６Ｂ、６Ｃ又は６Ｄにより取り出されたデジタル信号に対して上述の通り復号化を行い、データ信号ＤＡＴＡ１、ＤＡＴＡ２、ＤＡＴＡ３又はＤＡＴＡ４を出力する。
【００７７】
【発明の効果】
以上説明した通り、本発明では、同期信号が伝送される信号線とは別の信号線を通じてデジタル信号が伝送される場合でも、デジタル信号は、同期信号が遷移するとき、逆方向に遷移するか遷移しないため、各信号の遷移に伴う電磁放射ノイズが干渉によって大きくなるのを避けることができ、打ち消し合いにより電磁放射ノイズが低減されることもある。従って、各信号の伝送が不平衡伝送方式で行われたとしても、外部への電磁放射ノイズを比較的容易に低減することができる。
【図面の簡単な説明】
【図１】実施の形態１における信号伝送システムの概略構成を示す図
【図２】データ信号がクロック信号と同期して伝送される場合のクロック信号とデータ信号を表すタイミングチャート
【図３】符号化回路の一具体例を示す図
【図４】符号化回路が用いる符号表の一具体例を示す図
【図５】符号化回路から出力されたデジタル信号がクロック信号と同期して伝送される場合のクロック信号とデータ信号を表すタイミングチャート
【図６】閾値が一定の場合と閾値にクロック信号が用いられる場合のクロック信号、受信信号及び閾値の関係を説明するためのタイミングチャート
【図７】復号化回路の一具体例を示す図
【図８】復号化回路が用いる符号表の一具体例を示す図
【図９】符号化回路の他の具体例を示す図
【図１０】符号化回路が用いる符号表の他の具体例を示す図
【図１１】符号化回路から出力されたデジタル信号がクロック信号と同期して伝送される場合のクロック信号とデジタル信号を表す他のタイミングチャート
【図１２】実施の形態２における信号伝送システムの概略構成を示す図
【図１３】複数の符号化回路からそれぞれ出力された各デジタル信号がクロック信号と同期して伝送される場合のクロック信号と各デジタル信号を表すタイミングチャート
【図１４】クロック信号を平衡伝送方式で伝送する信号伝送システムの概略構成を示す図
【図１５】差動レシーバの代わりにレシーバを用いる信号伝送システムの概略構成を示す図
【図１６】双方向伝送を行う信号伝送システムの概略構成を示す図
【符号の説明】
１Ａ、１Ｂ、１Ｃ、１Ｄ　　符号化回路
２Ａ、２Ｂ、２Ｃ、２Ｄ、１０１　　ドライバ回路
３Ａ、３Ｂ、３Ｃ、３Ｄ、２０６　　差動レシーバ
４Ａ、４Ｂ、４Ｃ、４Ｄ　　復号化回路
５Ａ、５Ｂ、５Ｃ、５Ｄ、２０１　　レシーバ
６Ａ、６Ｂ、６Ｃ、６Ｄ、１０８　　トランシーバ
７Ａ、７Ｂ、７Ｃ、７Ｄ　符号／復号化回路
１００　　信号送信装置
１０２、２０４　　レジスタ
１０３　　１ビット／２ビット変換器
１０４、２０２　　シフトレジスタ
１０５、２０５　　インバータ
１０６　　トランスミッタ
１０７、２０７　　信号送受信装置
２００　　信号受信装置
２０３　　２ビット／１ビット変換器
３００、３００Ｐ、３００Ｑ、３０１、３０２、３０３、３０４　　信号線
【図１】
2004032635.tif 000003
【図２】
2004032635.tif 000004
【図３】
2004032635.tif 000005
【図４】
2004032635.tif 000006
【図５】
2004032635.tif 000007
【図６】
2004032635.tif 000008
【図７】
2004032635.tif 000009
【図８】
2004032635.tif 000010
【図９】
2004032635.tif 000011
【図１０】
2004032635.tif 000012
【図１１】
2004032635.tif 000013
【図１２】
2004032635.tif 000014
【図１３】
2004032635.tif 000015
【図１４】
2004032635.tif 000016
【図１５】
2004032635.tif 000017
【図１６】
2004032635.tif 000018